(57)【要約】【課題】湯張り運転中に最小燃焼量にしても出湯温度が設定温度以上になる場合でも、湯張り動作完了時に所定の設定温度を確保する。【解決手段】湯張り温度制御手段２３により、出湯温度と入水温度から演算して該出湯温度での演算湯張り量を給湯動作した後、燃料制御手段１６で燃料の供給を停止して加熱することなく足し水動作を行い、湯量設定手段１２で設定した湯量に達して止水手段８を閉じた時に、浴槽に湯張りされたお湯の温度が温度設定手段１３で設定した温度となるように制御する。【選択図】図１
2005172290.tif 000002
【特許請求の範囲】
【請求項１】
出湯口の上流側に配設された給湯管、熱交換器、給水管からなる給湯回路と、前記給湯回路を流れた水量を積算する流量積算手段と、前記給湯回路を閉止する止水手段と、前記熱交換器を加熱する加熱手段と、燃料を調整する燃料制御手段と、給水温度を検知する入水温度検知手段と、出湯温度を検知する出湯温度検知手段と、湯張り運転を指示する湯張りスイッチ及び湯量設定手段及び湯張り温度設定手段及び温度表示手段及び報知手段を備えたリモコン装置と、湯張り動作開始後の積算流量が設定湯量に達するまで所定の湯張り温度で給湯動作を継続し設定湯量に達すると前記止水手段を閉じて湯張り動作を完了する湯張り制御手段とを備えた給湯装置であって、前記湯張り制御手段には、湯張り運転中に前記燃料制御手段により燃料供給量が最小に設定されても出湯温度が前記湯張り温度設定手段で設定した温度より高い状態となる場合、出湯温度と入水温度から該出湯温度による湯張り量を演算し、この演算結果に基づく湯張り量に達すると燃焼を停止して足し水動作を行い、前記湯量設定手段で設定した湯量に達した時に浴槽に湯張りされたお湯の温度が前記湯張り温度設定手段で設定した温度になるように制御する湯張り温度制御手段を備えた給湯装置。
【請求項２】
湯張り温度制御手段は、湯張り運転中に燃料制御手段で燃料を最小にしても出湯温度が温度設定手段で設定した湯張り温度より高い場合に、給湯動作と足し水動作を数回に分けて交互に繰り返しながら湯張り動作をするようにした特許請求項１記載の給湯装置。
【請求項３】
温度表示手段は、出湯温度が湯張り温度より高い状態で給湯動作している時には実際の出湯温度を表示するようにした請求項１記載の給湯装置。
【請求項４】
報知手段は、出湯温度が湯張り温度より高い状態で給湯動作している時に報知音により警告をするようにした請求項１記載の給湯装置。
【請求項５】
報知手段は、足し水動作している時に他の警告報知をするようにした請求項１記載の給湯装置。
【請求項６】
湯張り温度制御手段は、湯張り運転中に燃料制御手段で燃料を最小にしても出湯温度が温度設定手段で設定した湯張り温度より高い場合に、出湯温度と入水温度から演算して該出湯温度で演算湯張り量を給湯動作した後に燃料の供給を停止して足し水動作しても湯量設定手段で設定した湯量に達して止水手段を閉じた時に浴槽に湯張りされたお湯の温度が温度設定手段で設定した温度より高くなる場合は、その時点で止水手段を閉じて給湯動作を停止するようにした特許請求項１記載の給湯装置。
【発明の詳細な説明】
【技術分野】
【０００１】
本発明は、湯張り機能付き給湯機に関し、特に、浴槽への自動湯張り動作時における給湯回路の閉止制御に関するものである。
【背景技術】
【０００２】
従来、この種の給湯機として、流量センサからのパルス信号をカウントしてその総数で出湯総量を検知し、パルス信号を比例制御用入力信号として用いることにより、的確に出湯総量を検知し、安定した出湯温度制御を行うようにしたものがある（例えば、特許文献１参照）。
【０００３】
上記従来の給湯機は、図２に示すように構成されており、給湯回路２４は熱交換器２５を経て浴槽（図示せず）の近傍に配設された出湯蛇口２６まで延びている。又、給湯回路２４における熱交換器２５の上流側には流量積算手段２７と常開の止水手段２８が配設されており、前記流量積算手段２７は給湯回路２４を流れた水の総量を計測する機能を有している。そして、これら流量積算手段２７や止水手段２８は制御回路２９に電気的に接続されていると共に、上記制御回路２９には操作手段３０が接続されており、該操作手段３０には湯量設定手段３１や湯温設定手段３２が配設されている。
【０００４】
上記構成において、使用者が浴槽に湯張りするときは、湯量設定手段３１で湯量を設定し、且つ温度設定手段３２で出湯温度を設定して出湯蛇口２６を開放すると、制御回路２９の出力で加熱手段３３が点火し、加熱手段３３に供給する燃料を調整する燃料制御手段３４で常開の止水手段２８から供給される水を熱交換器２５で設定温度に加熱された後に出湯蛇口２６から浴槽に供給される。
【０００５】
他方、給湯回路２４を流れる水量は流量積算手段２７で計測されており、計測値が湯量設定手段３１に設定した湯量に等しくなると、加熱手段３３が消火し、止水手段２８が閉弁状態に維持され、これにより、湯張り動作が完了する。
【０００６】
このものでは、上記湯量設定手段３１は湯張り完了後に止水手段２８を強制開弁させるリセットスイッチとしての機能も有しており、該湯張り完了後に湯量設定手段２８をリセット位置まで操作させると、閉弁状態にある水止水手段２７が開弁状態に復帰し、以後、出湯蛇口２６から連続的に湯の取り出しが出来るようになっている。
【特許文献１】特公平１−１４４９８号公報
【発明の開示】
【発明が解決しようとする課題】
【０００７】
しかしながら上記の従来の構成では、入水温度が高い場合や出湯蛇口から出湯される湯量が少ない場合に燃料制御手段で燃料を最小にしても出湯温度が温度設定手段で設定した湯張り温度より高くなる場合がある。
【０００８】
このような場合、使用者は温度設定手段で設定した温度のお湯が浴槽に湯張りされていると思い込み、確認せずに入浴した場合に予想以上の高温であるため、不快感を覚えるとともに、足し水をして温度を下げなければならないという作業を強いられるものであった。
【０００９】
本発明は上記課題を解決するもので、湯張り運転中に燃料制御手段で燃料を最小にしても出湯温度が温度設定手段で設定した湯張り温度より高い場合でも、湯量設定手段で設定した湯量に達して止水手段を閉じた時に浴槽に湯張りされたお湯の温度が温度設定手段で設定した温度になる給湯装置を提供することを目的とする。
【課題を解決するための手段】
【００１０】
前記従来の課題を解決するために、本発明の給湯装置は、出湯口の上流側に配設された給湯管、熱交換器、給水管からなる給湯回路と、前記給湯回路を流れた水量を積算する流量積算手段と、前記給湯回路を閉止する止水手段と、前記熱交換器を加熱する加熱手段と、燃料を調整する燃料制御手段と、給水温度を検知する入水温度検知手段と、出湯温度を検知する出湯温度検知手段と、湯張り運転を指示する湯張りスイッチ及び湯量設定手段及び湯張り温度設定手段及び温度表示手段及び報知手段を備えたリモコン装置と、湯張り動作開始後の積算流量が設定湯量に達するまで所定の湯張り温度で給湯動作を継続し設定湯量に達すると前記止水手段を閉じて湯張り動作を完了する湯張り制御手段とを備えた給湯装置であって、前記湯張り制御手段には、湯張り運転中に前記燃料制御手段により燃料供給量が最小に設定されても出湯温度が前記湯張り温度設定手段で設定した温度より高い状態となる場合、出湯温度と入水温度から該出湯温度による湯張り量を演算し、この演算結果に基づく湯張り量に達すると燃焼を停止して足し水動作を行い、前記湯量設定手段で設定した湯量に達した時に浴槽に湯張りされたお湯の温度が前記湯張り温度設定手段で設定した温度になるように制御する湯張り温度制御手段を備えたものである。
【００１１】
これによって、湯張り運転中に入水温度が高い場合や出湯口から出湯される湯量が少なくなり、燃料制御手段で燃料を最小にしても出湯温度が前記温度設定手段で設定した湯張り温度より高い場合でも、湯量設定手段で設定した湯量に達して止水手段を閉じた時には、浴槽に湯張りされたお湯の温度が温度設定手段で設定した温度にすることができる。
【発明の効果】
【００１２】
本発明の給湯装置は、湯張り運転中に入水温度が高い場合や出湯口から出湯される湯量が少なくなり、出湯温度が設定温度より高い場合でも、湯量設定手段で設定した湯量に達して止水手段を閉じた時には、浴槽に湯張りされたお湯の温度が温度設定手段で設定した温度にすることができるため、湯水混合弁を追加することなく、安全で使い勝手のよい湯張り動作を行うことができる。
【発明を実施するための最良の形態】
【００１３】
第１の発明は、出湯口の上流側に配設された給湯管、熱交換器、給水管からなる給湯回路と、前記給湯回路を流れた水量を積算する流量積算手段と、前記給湯回路を閉止する止水手段と、前記熱交換器を加熱する加熱手段と、燃料を調整する燃料制御手段と、給水温度を検知する入水温度検知手段と、出湯温度を検知する出湯温度検知手段と、湯張り運転を指示する湯張りスイッチ及び湯量設定手段及び湯張り温度設定手段及び温度表示手段及び報知手段を備えたリモコン装置と、湯張り動作開始後の積算流量が設定湯量に達するまで所定の湯張り温度で給湯動作を継続し設定湯量に達すると前記止水手段を閉じて湯張り動作を完了する湯張り制御手段とを備えた給湯装置であって、前記湯張り制御手段には、湯張り運転中に前記燃料制御手段により燃料供給量が最小に設定されても出湯温度が前記湯張り温度設定手段で設定した温度より高い状態となる場合、出湯温度と入水温度から該出湯温度による湯張り量を演算し、この演算結果に基づく湯張り量に達すると燃焼を停止して足し水動作を行い、前記湯量設定手段で設定した湯量に達した時に浴槽に湯張りされたお湯の温度が前記湯張り温度設定手段で設定した温度になるように制御する湯張り温度制御手段を備えたことを特徴とするものであり、湯張り運転中の入水温度が高い場合や出湯口からの出湯量が少なくなり、出湯温度が予め設定した温度より高くなった場合は、湯張り温度設定手段で設定した温度での出湯を所定の演算により求めた湯量で中止させ、その後、足し水動作を行って、設定湯量に達したときに所定の設定温度になるようにしているため、安全で使い勝手のよい湯張り動作を行うことができる。
【００１４】
第２の発明は、湯張り温度制御手段は、湯張り運転中に燃料制御手段で燃料を最小にしても出湯温度が温度設定手段で設定した湯張り温度より高い場合に、給湯動作と足し水動作を数回に分けて交互に繰り返しながら湯張り動作をするようにしたことを特徴とするもので、湯張り運転を途中で中止した場合でも、浴槽に湯張りされたお湯の温度が温度設定手段で設定した温度になるので、より安全性を高めることができる。
【００１５】
第３の発明は、温度表示手段は、出湯温度が湯張り温度より高い状態で給湯動作している時には実際の出湯温度を表示するようにしたことを特徴とするもので、湯張り運転中に出湯口から出湯されているお湯の温度が設定温度より高い温度であることを使用者に知らせることができ、誤ってお湯を直接触わるという行為を未然にを防止できる。
【００１６】
第４の発明は、報知手段は、出湯温度が湯張り温度より高い状態で給湯動作している時に報知音により警告をするようにしたことを特徴とするもので、湯張り運転中に使用者が設定温度より高い温度の湯を誤ってお湯を直接触わるという行為を未然にを防止できる。
【００１７】
第５の発明は、報知手段は、足し水動作している時に他の警告報知をするようにしたことを特徴とするもので、湯張り運転中に出湯口から水が出ていても給湯装置の故障でないことを使用者に知らせることができ、ナンセンスコールを防止することができる。
【００１８】
第６の発明は、湯張り温度制御手段は、湯張り運転中に燃料制御手段で燃料を最小にしても出湯温度が温度設定手段で設定した湯張り温度より高い場合に、出湯温度と入水温度から演算して該出湯温度で演算湯張り量を給湯動作した後に燃料の供給を停止して足し水動作しても湯量設定手段で設定した湯量に達して止水手段を閉じた時に浴槽に湯張りされたお湯の温度が温度設定手段で設定した温度より高くなる場合は、その時点で止水手段を閉じて給湯動作を停止するようにしたことを特徴とするもので、設定した温度の湯張り動作ができないと判断した場合は、その時点で止水手段を閉じて給湯動作を停止することにより、浴槽に設定した温度以上のお湯が湯張りされることを未然に防止でき、安全性を高めることができる。
【００１９】
以下、本発明の実施の形態について、図面を参照しながら説明する。なお、本実施の形態によって本発明が限定されるものではない。
【００２０】
（実施の形態１）
図１は、本発明の第１の実施の形態における給湯装置のシステム構成図である。
【００２１】
図１において、１は出湯口、２は出湯口１の上流側に配設された給湯管３、熱交換器４、給水管５からなる給湯回路、６は給湯回路２に連接し給湯回路２を流れた水量を計測する流量積算手段、７は給湯回路に流れる流量を制御する流量制御手段、８は給湯回路を閉止する水止水手段、９は熱交換器を加熱する加熱手段、１０は湯張り運転を指示する湯張りスイッチ１１と湯張り量を設定する湯量設定手段１２と湯張り時の湯張り温度を設定する温度設定手段１３と温度表示手段１４と報知手段１５とを備えたリモコン装置である。
【００２２】
１６はリモコン装置１０で設定された出湯温度と出湯管内の湯の温度に応じて動作して加熱手段９に供給する燃料を制御する燃料制御手段、１７は燃料弁、１８は燃焼用の空気を供給する送風機、１９は入水温度を検出する入水温度検出手段、２０は出湯温度を検出する出湯温度検出手段である。２１は給湯機手段全体の制御を司るコントローラで、図示しない理論演算回路を構成するＣＰＵ、ＲＡＭ、ＲＯＭと各種センサや制御手段からの入力信号受付ける入力部と入力部からの入力を計算する演算部と各種のアクチュエータに駆動信号を出力する出力部で構成されている。
【００２３】
２２はコントローラ２１内に内蔵された湯張り制御手段で各種センサからの検出信号に基づいて給湯装置本体の状態を判定するともに、リモコン装置１０からの制御信号に基づいて給湯装置本体の各部（例えば流量制御手段、燃料制御手段等）の動作を制御するものである。２２は湯張り温度制御手段で湯張り運転中に燃料制御手段で燃料を最小にしても出湯温度が前記温度設定手段で設定した湯張り温度より高い場合に一連の湯張り運転を制御するものである。２４は加熱手段９を点火する点火手段である。
【００２４】
以上のように構成された給湯装置について、以下その動作、作用を説明する。
【００２５】
まず、使用者が浴槽に湯張りを行うためにはあらかじめリモコン装置１０にある湯量設定手段１２と温度設定手段１３で浴槽に入れるお湯の湯量と温度を設定しておく。この湯量と温度はリモコン装置１０に記憶されているので一度設定すれば次回からは設定の必要はない。次に湯張りスイッチ１１を「０Ｎ」にしてから浴室の出湯蛇口１を開くと給湯回路２に水が流れて流量積算手段６が「ＯＮ」してコントローラ２１が、給湯機の各アクチュエーターの初期チェックを行い送風機１８を点火回転数で回転する。送風機１８が回転を開始後に点火手段２４が「ＯＮ」して連続火花放電が始まり次に加熱手段９に供給される燃料回路を開閉する燃料弁１７が開くとともに点火に必要な燃料を供給するように燃料制御手段１６を「開」にして加熱手段９に燃料を供給して点火する。
【００２６】
以降、出湯温度検出手段２０で検出する湯温が温度設定手段１３で設定された温度になるように燃料制御手段１６が燃料を調整する。また、加熱手段９で燃焼する燃料が良好な燃焼をするように送風機１８が適宜風量を調整する。その後、湯量設定手段１２で設定した湯量と流量積算手段６で計測した水量が等しくなれば湯張り制御手段２２からの信号にて燃料制御手段１６と燃料弁１７が閉じて燃料の供給停止するので加熱手段９は消火する。更に、湯張り制御手段２２からの報知信号にて報知手段１５が報知音を鳴らして湯張りの完了を知らせる。
【００２７】
この一連の湯張り運転中に、燃料制御手段１６で燃料を最小にしても出湯温度が温度設定手段１３で設定した湯張り温度より高い場合に、湯張り温度制御手段２３で出湯温度と入水温度から演算して該出湯温度で演算湯張り量を給湯動作した後、燃料制御手段１６と燃料弁１７で燃料の供給を停止して加熱することなく水を浴槽に供給する足し水動作して、お湯の温度を下げて湯量設定手段１２で設定した湯量に達して水止水手段８を閉じた時に浴槽に湯張りされたお湯の温度が温度設定手段１３で設定した温度となる。
【００２８】
例えば、一般の給湯装置では燃料制御手段１６で燃料を最小にした場合の出湯能力は約２．５号である。湯量設定手段１２で１８０Ｌと温度設定手段１３で設定した湯張り温度が４０℃にした時、入水温度が３４℃で出湯量を５Ｌ/分で出湯にした時には出湯温度は４６℃になり、浴槽には４６℃のお湯が入ることになり入浴時に高温の湯に触れる恐れがある。
【００２９】
この時、湯張り温度制御手段２３で演算して４６℃のお湯を演算湯張り量（９０Ｌ）を給湯動作した後に、燃料制御手段１６と燃料弁１７で燃料の供給を停止して加熱することなく３４℃の水を９０Ｌ足し水動作してお湯の温度を下げて、浴槽には４０℃のお湯を１８０Ｌ湯張りすることができる。
【００３０】
以上のように、本実施の形態においては湯量設定手段で設定した湯量に達して水止水手段を閉じた時に浴槽に湯張りされたお湯の温度が温度設定手段で設定した温度になるので入浴時の安全性を高めることができる。
【００３１】
（実施の形態２）
本発明の第２の実施の形態における給湯装置は、前記第１の実施の形態における給湯装置の湯張り温度制御装置において、湯張り運転中に燃料制御手段１６で燃料を最小にしても出湯温度が温度設定手段１３で設定した湯張り温度より高い場合に、給湯動作と給水動作を数回に分けて交互に繰り返しながら湯張り動作することにより、浴槽のお湯の温度を常に温度設定手段１３で設定した湯張り温度にすることができ、湯張り湯張り運転を途中で中止した場合でも浴槽に湯張りされたお湯の温度が温度設定手段で設定した温度になるのでより安全性を高めることができる。
【００３２】
（実施の形態３）
本発明の第３の実施の形態における給湯装置は、前記第１の実施の形態における給湯装置に加えて、出湯温度が湯張り温度より高い状態で給湯動作している時に温度表示手段１４で実際の出湯温度を表示することにより、湯張り運転中に出湯蛇口から出湯されているお湯の温度が設定温度より高い温度であることを使用者に知らせることができるので誤ってお湯を直接触わることを未然に防止できるので安全性を高めることができる。
【００３３】
（実施の形態４）
本発明の第４の実施の形態における給湯装置は、前記第１の実施の形態における給湯装置に加えて、出湯温度が湯張り温度より高い状態で給湯動作している時に報知手段１５で警告報知をすることにより、リモコン装置１０が浴室にない場合でも報知音で湯張り運転中に出湯蛇口から出湯されているお湯の温度が設定温度より高い温度であることを使用者に知らせることができるので誤ってお湯を直接触わることを防止できるので安全性を高めることができる。
【００３４】
（実施の形態５）
本発明の第５の実施の形態における給湯装置は、前記第１の実施の形態における給湯装置に加えて、給水動作している時に報知手段１５で他の警告報知をするので出湯蛇口から水が出てきても給湯装置の故障でないことを使用者に知らせることができるのでクレームの防止を図ることができる。
【００３５】
（実施の形態６）
本発明の第６の実施の形態における給湯装置は、前記第１の実施の形態における給湯装置に加えて、入水温度が非常に高い場合など湯張り温度制御手段２３で湯張り運転中に燃料制御手段１６で燃料を最小にしても出湯温度が温度設定手段で設定した湯張り温度より高い場合に、出湯温度と入水温度から演算して該出湯温度で演算湯張り量を給湯動作した後に燃料制御手段１６で燃料の供給を停止して給水動作しても湯量設定手段１３で設定した湯量に達して止水手段８を閉じた時に浴槽に湯張りされたお湯の温度が温度設定手段１３で設定した温度より高くなる場合は、その時点で止水手段８閉じて給湯動作を停止することにより浴槽に設定した温度以上のお湯が湯張りされることを防止できるので安全性を高めることができる。
【産業上の利用可能性】
【００３６】
以上のように、本発明にかかる給湯装置は、湯張り運転中に入水温度が高い場合や出湯口から出湯される湯量が少なくなり、出湯温度が設定温度より高い場合でも、湯量設定手段で設定した湯量に達して止水手段を閉じた時には、浴槽に湯張りされたお湯の温度が温度設定手段で設定した温度にすることができるため、安全で使い勝手のよい湯張り動作を行うことができる湯水混合弁を使用しない湯張り装置全般に適用することができる。
【図面の簡単な説明】
【００３７】
【図１】本発明の実施の形態１における給湯装置のシステム構成図
【図２】従来の給湯機のシステム構成図
【符号の説明】
【００３８】
１  出湯口
２  給湯回路
３  給湯管
４  熱交換器
５  給水管
６  流量積算手段
８  止水手段
９  加熱手段
１０  リモコン装置
１１  湯張りスイッチ
１２  湯量設定手段
１３  温度設定手段
１４  温度表示手段
１５  報知手段
１６  燃料制御手段
１９  入水温度検出手段
２０  出湯温度検出手段
２２  湯張り制御手段
２３  湯張り温度制御手段
【図１】
2005172290.tif 000003
【図２】
2005172290.tif 000004